Podtech/llm-jp-corpus-v4-ja_patent huggingface dataset:
【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
耐水性支持体上に、少なくとも１層のインク受容層を有するインクジェット記録用紙において、該インク受容層が気相法シリカ及びポリジアリルアミン誘導体の構成単位を有するカチオンポリマーを含有することを特徴とするインクジェット記録用シート。
【請求項２】
気相法シリカの付着量が固形分で８ｇ／m2以上である請求項１に記載のインクジェット記録用シート。
【請求項３】
前記インク受容層が更に４級化度が３０％以上のカチオンポリマーを含有することを特徴とする請求項１または２に記載のインクジェット記録用シート。
【手続補正書】
【提出日】平成15年8月5日(2003.8.5)
【手続補正１】
【補正対象書類名】明細書
【補正対象項目名】特許請求の範囲
【補正方法】変更
【補正の内容】
【特許請求の範囲】
【請求項１】
ノズル孔列を複数設けた流路ユニットと、
この流路ユニットを接合する接合面に、ノズル孔列に対応した開口を複数有し、各開口に連通する収納空部を内部に形成したケースと、
このケースの収納空部内に固定されて、先端の出力部を前記開口に臨ませた状態で、圧力室の一部を構成している振動板に接合した圧力発生手段と、を備え、この圧力発生手段の出力部により振動板を変位させてノズル孔から前記圧力室内のインクを吐出するインクジェット式記録ヘッドにおいて、
前記ケースの複数の前記開口の間に位置するリブと前記流路ユニットとの接合面に、凹部を形成したことを特徴とするインクジェット式記録ヘッド。
【請求項２】
前記凹部が大気開放していることを特徴とする請求項１に記載のインクジェット式記録ヘッド。
【請求項３】
一端が前記凹部に接続して該凹部を大気開放する通気路を、ケースの接合面に交叉する方向に延設したことを特徴とする請求項２に記載のインクジェット式記録ヘッド。
【請求項４】
前記リブ部内に補強材をインサートし、前記凹部の幅を補強材の肉厚よりも狭く設定したことを特徴とする請求項１から３のいずれかに記載のインクジェット式記録ヘッド。
【請求項５】
前記ケースの接合面にコンプライアンス用凹部を形成し、このコンプライアンス用凹部を大気開放し、接合面に、前記コンプライアンス用凹部と前記凹部とを連通する連絡路を形成したことを特徴とする請求項１から４のいずれかに記載のインクジェット式記録ヘッド。
【請求項６】
前記凹部が、前記振動板に形成された溝を介して大気開放されていることを特徴とする請求項１から５のいずれかに記載のインクジェット式記録ヘッド。
【請求項７】
前記振動板は、金属板と樹脂膜とを積層した構造とし、上記金属板をエッチングして前記溝を形成したことを特徴とする請求項６に記載のインクジェット式記録ヘッド。
【手続補正２】
【補正対象書類名】明細書
【補正対象項目名】０００７
【補正方法】変更
【補正の内容】
【０００７】
【課題を解決するための手段】
本発明は上記した目的を達成するために提案されたものであり、請求項１に記載のものは、ノズル孔列を複数設けた流路ユニットと、この流路ユニットを接合する接合面に、ノズル孔列に対応した開口を複数有し、各開口に連通する収納空部を内部に形成したケースと、このケースの収納空部内に固定されて、先端の出力部を前記開口に臨ませた状態で、圧力室の一部を構成している振動板に接合した圧力発生手段と、を備え、この圧力発生手段の出力部により振動板を変位させてノズル孔から前記圧力室内のインクを吐出するインクジェット式記録ヘッドにおいて、前記ケースの複数の前記開口の間に位置するリブと前記流路ユニットとの接合面に、凹部を形成したことを特徴とするインクジェット式記録ヘッドである。


【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項６に記載のものは、前記凹部が、前記振動板に形成された溝を介して大気開放されていることを特徴とする請求項１から５のいずれかに記載のインクジェット式記録ヘッドである。


【手続補正５】
【補正対象書類名】明細書
【補正対象項目名】００１４
【補正方法】変更
【補正の内容】
【００１４】
請求項７に記載のものは、金属板と樹脂膜とを積層した構造とし、上記金属板をエッチングして前記溝を形成したことを特徴とする請求項６に記載のインクジェット式記録ヘッドである。


【手続補正６】
【補正対象書類名】明細書
【補正対象項目名】００３５
【補正方法】変更
【補正の内容】
【００３５】
【発明の効果】
以上説明したように、本発明のインクジェット式記録ヘッドは、次に示す効果を奏する。請求項１の発明によれば、ケースの複数の開口の間に位置するリブと流路ユニットとの接合面に、凹部を形成するので、その凹部を設けた分だけ接合面積が減り、ケースと流路ユニットとの接合に際して塗布する接着剤の量が減る。このため、圧力発生手段の出力部が臨む開口へ流れ込む接着剤の量は低減し、しかも凹部へ流れ込む分もあるので、開口側へ流れ込む分量を一層少ない量に抑えることができる。したがって、流路ユニットとケースとの接合に際して、圧力室の振動板側への接着剤の流れ出しを低減させることができ、その結果、振動板の撓み特性を良好に保つことができる。これにより、振動板に付着した接着剤に起因する印刷品質の低下を防ぐことができる。
【手続補正書】
【提出日】平成15年9月26日(2003.9.26)
【手続補正１】
【補正対象書類名】明細書
【補正対象項目名】特許請求の範囲
【補正方法】変更
【補正の内容】
【特許請求の範囲】
【請求項１】
本体に設けられた第１蓄圧室と、本体が使用可能な空気圧よりも高い圧力の圧縮空気を蓄積可能な第２蓄圧室と、エアホース等を介して空気圧縮機と接続可能な空気取入口と、第２蓄圧室と空気取入口との連通を制御する連通制御弁と、第２蓄圧室内の圧縮空気を減圧して第１蓄圧室内へ供給する減圧弁とを備え、第１蓄圧室内の圧縮空気により、シリンダ内に上下動可能に設けられたピストンを駆動し、ピストンに装着されたドライブビットにより止具を打込む打込機であって、前記第２蓄圧室内の圧力を測定する圧力計を設けたことを特徴とする打込機。
【請求項２】
前記第２蓄圧室、空気取入口、連通制御弁、減圧弁を有する部材を本体と別に設け、この部材を本体に着脱可能としたことを特徴とする請求項１記載の打込機。
【請求項３】
前記減圧弁を本体内に設けると共に第２蓄圧室、空気取入口、連通制御弁を有する部材を本体と別に設け、この部材を本体に着脱可能としたことを特徴とする請求項１記載の打込機。
【請求項４】
前記減圧弁、空気取入口、連通制御弁を本体内に設けると共に、第２蓄圧室を本体と別に設け、第２蓄圧室を本体に着脱可能としたことを特徴とする請求項１記載の打込機。
【請求項５】
前記連通制御弁を第２蓄圧室内の圧縮空気が空気取入口から流出しないように働く逆止弁としたことを特徴とする請求項１〜請求項３記載の打込機。
【請求項６】
前記圧力計を、ゲージピストンと、ゲージピストンを付勢する弾性手段とで構成すると共に、ゲージピストンの反弾性手段側を第２蓄圧室と連通させ、ゲージピストンが弾性手段による付勢力と第２蓄圧室内の圧縮空気による付勢力とが均衡する位置に停止することにより圧力を測定するようにしたことを特徴とする請求項１〜５記載の打込機。
【請求項７】
前記圧力計は圧力を打込み動作が可能か否かに置き換えて表示することを特徴とした請求項１記載の打込機。
【請求項８】
前記圧力計は圧力を打込み可能本数に換算して表示することを特徴とした請求項１記載の打込機。
【手続補正書】
【提出日】平成15年8月20日(2003.8.20)
【手続補正１】
【補正対象書類名】明細書
【補正対象項目名】００３５
【補正方法】変更
【補正の内容】
【００３５】
そして本例においては、このように９種類の表情の顔の図形の液晶表示パネル２０での表示を行って、そのときの端末装置の状態（サービスレベル及び電池残量）の表示を行うと共に、その表示される図形に応じて、液晶表示パネル２０の背面に配置されたバックライト１６で点灯させる色を変化させるようにしてある。即ち、本例のバックライト１６は照明させる色として、赤色，青色，黄色の３色が選択できる構成としてあり、例えば端末装置の状態が比較的良い場合には緑色で照明させ、端末装置の状態がある程度悪い場合には黄色で照明させ、端末装置の状態が非常に悪い場合には赤色で照明させる。


【手続補正２】
【補正対象書類名】明細書
【補正対象項目名】００４０
【補正方法】変更
【補正の内容】
【００４０】
また本例の端末装置においては、制御部１１の制御で何らかのアラーム音を鳴らす場合やメッセージを伝えたい場合などに、液晶表示パネル２０のドットマトリクス表示エリア３０に表示される顔の図形として、この表示される顔の部分を経時的に変化させるようにしても良い。例えば、図９に示すように、表示される顔の図形中の口が動いている状態を表示するようにしても良い。即ち、図１０のフローチャートに示すように、輪郭部を形成するパーツを使用した輪郭表示（ステップＳ１０１）を常時行い、口の部分として、閉じた状態のパーツを使用した基本姿勢表示を行う（ステップＳ１０２）。図９のＡに示す図形Ｐ１１は、この基本姿勢表示による顔の図形を示したもので、輪郭部はパーツａが使用され、目の部分はパーツｂ１が使用され、口の部分はパーツｃ１が使用され、補間部はパーツｄ１，ｄ２が使用される。


【手続補正３】
【補正対象書類名】図面
【補正対象項目名】図９
【補正方法】変更
【補正の内容】
【図９】
1998271559.tif 000001
【手続補正書】
【提出日】平成15年9月3日(2003.9.3)
【手続補正１】
【補正対象書類名】明細書
【補正対象項目名】特許請求の範囲
【補正方法】変更
【補正の内容】
【特許請求の範囲】
【請求項１】
マトリクス状に配置された複数の画素を有し、各画素に対してカラーフィルタが設けられた固体撮像素子と、
前記固体撮像素子から出力される各画素情報に基づいて輝度情報及び色情報から成る撮影画像情報を得る画像信号処理手段と、
前記固体撮像素子から出力され、かつ前記画像信号処理手段に入力される各画素情報を積算していくことで、疑似輝度情報を生成する疑似輝度情報生成手段と、
前記疑似輝度情報生成手段から出力される疑似輝度情報を用いてアイリス調整を行うアイリス調整手段と、
を備えたことを特徴とするビデオカメラ装置。
【請求項２】
前記カラーフィルタは、Ｇ（グリーン）市松及びＲ（レッド）、Ｂ（ブルー）線順次方式とされたカラーフィルタであり、
前記疑似輝度情報生成手段は、
２Ｇ＋Ｒ＋Ｂ
の演算により疑似輝度信号を生成することを特徴とする請求項１に記載のビデオカメラ装置。
【請求項３】
前記画像信号処理手段から抽出される色情報に基づいて、前記固体撮像素子から出力される各色毎の画素情報のゲイン調整を行うことでホワイトバランス調整を行うホワイトバランス調整手段を備え、
前記疑似輝度情報生成手段は、前記ホワイトバランス調整手段よりも前段で得られる各画素情報を積算していくことで、疑似輝度情報を生成することを特徴とする請求項１に記載のビデオカメラ装置。
【手続補正２】
【補正対象書類名】明細書
【補正対象項目名】００１３
【補正方法】変更
【補正の内容】
【００１３】
このためにビデオカメラ装置に、固体撮像素子から出力され、かつ画像信号処理手段に入力される各画素情報を積算していくことで、疑似輝度情報を生成する疑似輝度情報生成手段と、疑似輝度情報生成手段から出力される疑似輝度情報を用いてアイリス調整を行うアイリス調整手段とを設ける。
固体撮像素子のカラーフィルタを、Ｇ（グリーン）フィルタが市松状（千鳥状）に配置されるとともに、ライン毎にＲ（レッド）、Ｂ（ブルー）が交互に配置される、Ｇ市松及びＲＢ線順次方式とされたカラーフィルタとする場合、疑似輝度情報生成手段は、２Ｇ＋Ｒ＋Ｂの演算により疑似輝度信号を生成する。
また、疑似輝度情報生成手段は、ホワイトバランスアンプ手段よりも前段で得られる各画素情報を積算していくことで、疑似輝度情報を生成するようにする。
画素情報の積算値である疑似輝度情報は、擬似的な輝度信号として明るさ情報を有するものとなるため、画素情報の積算値を用いてアイリス調整を行うことができる。また、この場合輝度信号を用いるものではないためホワイトバランスアンプよりも前段の画素情報を用いることができる。
【手続補正書】
【提出日】平成15年9月8日(2003.9.8)
【手続補正１】
【補正対象書類名】明細書
【補正対象項目名】０００５
【補正方法】変更
【補正の内容】
【０００５】
【発明が解決しようとする課題】
しかしながら、従来のディジタルスチルカメラでは、自然画などの被写界像を撮影しそのカラー画像を出力することを主眼として構成されているので、たとえば線画や文字、さらにはモノトーンなどのモノクロ画像を出力するためには特殊な構成が必要となって、そのモノクロ画像データを記憶媒体に記憶させる際の記録フォーマットやカメラ自体の構成を大幅に変更せざるを得なかった。


【手続補正２】
【補正対象書類名】明細書
【補正対象項目名】００４８
【補正方法】変更
【補正の内容】
【００４８】
図示するように記録フォーマットの基本構成は、カラー静止画圧縮標準(JPEG)の「要求とガイドライン；ISO/IEC DIS 10918-1 」に準拠しており、圧縮データスタートコード(SOI) を先頭に、アプリケーション付属情報(APP1)と、量子化テーブル(DQT) と、ハフマン符号化テーブル(DHT) と、フレームヘッダ(SOF) と、スキャンヘッダ(SOS) と、実際の圧縮データであるエントロピー符号化データとエントロピー符号化データ終了コード(EOI) とを含む形式にて１画像（イメージ）の圧縮符号化データが構成される。


【手続補正３】
【補正対象書類名】明細書
【補正対象項目名】００７３
【補正方法】変更
【補正の内容】
【００７３】
このように従来の電子スチルカメラで使用されていた圧縮符号化システムで、そのパラメータを変更するという簡潔な構成で、モノクロ画像を出力することができる。とくに、モノクロ撮影モードでは、色差データのAC成分に割り当てられるべき符号量を輝度成分に割り当てることができるようになり、このため同じ総符号量であっても高画質化が達成される。
【手続補正書】
【提出日】平成15年9月2日(2003.9.2)
【手続補正１】
【補正対象書類名】明細書
【補正対象項目名】特許請求の範囲
【補正方法】変更
【補正の内容】
【特許請求の範囲】
【請求項１】
＋端子と−端子と電池電圧に応じた信号を出力する電圧信号端子とを備えた二次電池を装着して充電を行い、前記二次電池の装着時に前記各端子にそれぞれ接続される＋端子と−端子と電圧検出端子と、二次電池に充電電流を供給するための電源とを備え、電圧検出端子からの入力信号をフィードバックして前記電源の出力を制御するようにした充電回路において、前記電圧信号端子と電圧検出端子との異常接続時に前記フィードバック信号を調整して、前記電源の出力に過電圧が発生するのを防止する過電圧発生防止手段を備え、
前記過電圧発生防止手段は、前記電源の出力電圧の一部を電圧検出端子に印加するように、充電回路の＋端子と電圧検出端子との間に設けられ、
前記電源は所定の周期で充電出力の供給をオンオフするパルス充電が行われており、充電オフ時に前記二次電池の電圧信号端子から入力される信号を検出して、前記電圧信号端子と電圧検出端子との異常接続を判定する二次電池誤装着判定手段を設けたことを特徴とする充電回路。
【手続補正書】
【提出日】平成15年9月8日(2003.9.8)
【手続補正１】
【補正対象書類名】明細書
【補正対象項目名】符号の説明
【補正方法】変更
【補正の内容】
【符号の説明】
１：蒸し器
３１、３２：中仕切
３１ａ：通気孔
４：水
５：棒状パスタ
２：蒸し器の蓋
３：蒸し器本体
２１：蒸気の排出口
【手続補正書】
【提出日】平成15年9月11日(2003.9.11)
【手続補正１】
【補正対象書類名】明細書
【補正対象項目名】０００３
【補正方法】変更
【補正の内容】
【０００３】
ＤＶＤ−ＶＩＤＥＯディスクでは、収録するデータを主映像用のビデオデータストリーム、オーディオ用のオーディオデータストリーム、字幕等のサブピクチャストリームなど複数チャネルの多重化ストリームを、パケット多重化方式により記録するようにしている。そして、カメラアングルの異なる画像情報を複数のインターリーブドユニット（ILVU：Interleaved Unit）に分割してインターリーブしたマルチアングルブロックとして記録しておくことにより、それを選択的に再生することで、同時刻上に複数存在するチャネルすなわちストリームの中から任意に１つを選んで再生し、また再生中に再生するチャネルすなわちストリームを切り替えるアングル機能を実現している。


【手続補正２】
【補正対象書類名】明細書
【補正対象項目名】００１０
【補正方法】変更
【補正の内容】
【００１０】
また、上記ＤＳＩパケットとして与えられるデータサーチ情報（DSI：Data Search Information）は、ＶＯＢＵのシームレス再生及びサーチを行うためのナビゲーションデータである。このＤＣＳは、図１０に示すように、ＤＳＩ全体情報（DSI_GI：DSI General Information）、シームレス再生情報（SML_PBI：Seamless Playback Information）、シームレスアングル情報（SML_AGLI：Angle Information for seamless）、ＶＯＢＵサーチ情報（VOBU_SRI：VOB Unit Search Information）及び同期情報（SYNCI:Synchronous Information）の５種類からなる。ＤＳＩ＿ＧＩは、図１１に示すように、ＮＶ＿ＰＣＫ＿ＳＣＲ（ＳＣＲ＿System Clock Reference of Navigation Pack）、ＮＶ＿ＰＣＫ＿ＬＢＮ（Logical Block number of Navigation Pack）、ＶＯＢＵ＿ＥＡ（End address of VOBU）、ＶＯＢＵ＿１ＳＴＲＥＦ＿ＥＡ（End address of the first Reference Picture in VOBU）、ＶＯＢＵ＿２ＮＤＲＥＦ＿ＥＡ（End address of the secnd Reference Picture in VOBU）、ＶＯＢＵ＿３ＲＤＲＥＦ＿ＥＡ（End address of the third Reference Picture in VOBU）、ＶＯＢＵ＿ＶＯＢ＿ＩＤＮ（VOB ID number of VOBU）、ＶＯＢＵ＿Ｃ＿ＩＤＮ（Cell ID number of VOBU） やＣ＿ＥＬＴＭ（Cell Elapse Time）などの情報である。ここで、上記ＶＯＢＵ＿１ＳＴＲＥＦ＿ＥＡ、ＶＯＢＵ＿２ＮＤＲＥＦ＿ＥＡ及びＶＯＢＵ＿３ＲＤＲＥＦ＿ＥＡは、図１２に示すように、ＤＳＩパケットのＶＯＢＵの第１論理ブロック（LB：Logical Block）ＬＢからの相対論理ブロック番号（RLBN：Relative LogicalBlock number）をもってＤＳＩパケットの後に続いて記録されたビデオパック（V_PCK：Video pack） であって、最初にエンコードされる参照画像（第１のＩピクチャ）の最終データのビデオパックのアドレスをＶＯＢＵ＿１ＳＴＲＥＦ＿ＥＡが示し、次にエンコードされる参照画像（Ｐピクチャ）の最終データのビデオパックのアドレスをＶＯＢＵ＿２ＮＤＲＥＦ＿ＥＡが示し、その次にエンコードされる参照画像（Ｐピクチャ）の最終データのビデオパックのアドレスをＶＯＢＵ＿３ＲＤ＿ＥＡが示す。


【手続補正３】
【補正対象書類名】明細書
【補正対象項目名】００１２
【補正方法】変更
【補正の内容】
【００１２】
さらに、上記ＳＭＬ＿ＡＧＬＩは、図１４に示すようなアングル切り換えにおける切り換え先の情報であり、シームレスでのアングルシェル切り換えにのみ有効とされる。


【手続補正４】
【補正対象書類名】明細書
【補正対象項目名】００４９
【補正方法】変更
【補正の内容】
【００４９】
このステップＳ２における判定結果が「ＮＯ」すなわちユーザが指定したアングル番号（AGLN：Angle number）と再生中のＡＧＬＮが異なる場合には、ステップＳ３に移って、ＮＳＭＬ＿ＡＧＬ切り換えの処理を行い、また、このステップＳ２における判定結果が「ＹＥＳ」すなわちユーザが指定したアングル番号（AGLN：Angle number）と再生中のＡＧＬＮが同じ場合にはＮＳＭＬ＿ＡＧＬ切り換えの処理を行うことなくステップＳ１に戻る。上記ステップＳ３におけるＮＳＭＬ＿ＡＧＬ切り換えの処理では、画像を止めて、バッファクリアしてサーチ先をユーザが最後に指定したアングル番号（AGLN：Angle number）に変更する処理を行う。


【手続補正５】
【補正対象書類名】明細書
【補正対象項目名】００５２
【補正方法】変更
【補正の内容】
【００５２】
このステップＳ１２における判定結果が「ＮＯ」すなわちＳＭＬ＿ＡＧＬ＿ＢＬＫを読み取っていない場合には、このステップＳ１２の判定処理をＳＭＬ＿ＡＧＬ＿ＢＬＫが送られてくるまで繰り返し行い、このステップＳ１２における判定結果が「ＹＥＳ」すなわちＳＭＬ＿ＡＧＬ＿ＢＬＫの読み取りに入ると、ステップＳ１３に移って、インターリーブドユニット（ILVU：Interleaved Unit）の境界に達したか否かを判定する。
【手続補正書】
【提出日】平成15年9月11日(2003.9.11)
【手続補正１】
【補正対象書類名】明細書
【補正対象項目名】０００３
【補正方法】変更
【補正の内容】
【０００３】
ＤＶＤ−ＶＩＤＥＯディスクでは、収録するデータを主映像用のビデオデータストリーム、オーディオ用のオーディオデータストリーム、字幕等のサブピクチャストリームなど複数チャネルの多重化ストリームを、パケット多重化方式により記録するようにしている。そして、カメラアングルの異なる画像情報を複数のインターリーブドユニット（ILVU：Interleaved Unit）に分割してインターリーブしたマルチアングルブロックとして記録しておくことにより、それを選択的に再生することで、同時刻上に複数存在するチャネルすなわちストリームの中から任意に１つを選んで再生し、また再生中に再生するチャネルすなわちストリームを切り替えるアングル機能を実現している。


【手続補正２】
【補正対象書類名】明細書
【補正対象項目名】００１０
【補正方法】変更
【補正の内容】
【００１０】
また、上記ＤＳＩパケットとして与えられるデータサーチ情報（DSI：Data Search Information）は、ＶＯＢＵのシームレス再生及びサーチを行うためのナビゲーションデータである。このＤＳＩは、図１０に示すように、ＤＳＩ全体情報（DSI_GI：DSI General Information）、シームレス再生情報（SML_PBI：Seamless Playback Information）、シームレスアングル情報（SML_AGLI：Angle Information for seamless）、ＶＯＢＵサーチ情報（VOBU_SRI：VOB Unit Search Information）及び同期情報（SYNCI:Synchronous Information）の５種類からなる。ＤＳＩ＿ＧＩは、図１１に示すように、ＮＶ＿ＰＣＫ＿ＳＣＲ（ＳＣＲ＿System Clock Reference of Navigation Pack）、ＮＶ＿ＰＣＫ＿ＬＢＮ（Logical Block number of Navigation Pack）、ＶＯＢＵ＿ＥＡ（End address of VOBU）、ＶＯＢＵ＿１ＳＴＲＥＦ＿ＥＡ（End address of the first Reference Picture in VOBU）、ＶＯＢＵ＿２ＮＤＲＥＦ＿ＥＡ（End address of the secnd Reference Picture in VOBU）、ＶＯＢＵ＿３ＲＤＲＥＦ＿ＥＡ（End address of the third Reference Picture in VOBU）、ＶＯＢＵ＿ＶＯＢ＿ＩＤＮ（VOB ID number of VOBU）、ＶＯＢＵ＿Ｃ＿ＩＤＮ（Cell ID number of VOBU） やＣ＿ＥＬＴＭ（Cell Elapse Time）などの情報である。ここで、上記ＶＯＢＵ＿１ＳＴＲＥＦ＿ＥＡ、ＶＯＢＵ＿２ＮＤＲＥＦ＿ＥＡ及びＶＯＢＵ＿３ＲＤＲＥＦ＿ＥＡは、図１２に示すように、ＤＳＩパケットのＶＯＢＵの第１論理ブロック（LB：Logical Block）ＬＢからの相対論理ブロック番号（RLBN：Relative LogicalBlock number）をもってＤＳＩパケットの後に続いて記録されたビデオパック（V_PCK：Video pack） であって、最初にエンコードされる参照画像（第１のＩピクチャ）の最終データのビデオパックのアドレスをＶＯＢＵ＿１ＳＴＲＥＦ＿ＥＡが示し、次にエンコードされる参照画像（Ｉ又はＰピクチャ）の最終データのビデオパックのアドレスをＶＯＢＵ＿２ＮＤＲＥＦ＿ＥＡが示し、その次にエンコードされる参照画像（Ｉ又はＰピクチャ）の最終データのビデオパックのアドレスをＶＯＢＵ＿３ＲＤ＿ＥＡが示す。


【手続補正３】
【補正対象書類名】明細書
【補正対象項目名】００１２
【補正方法】変更
【補正の内容】
【００１２】
さらに、上記ＳＭＬ＿ＡＧＬＩは、図１４に示すようなアングル切り換えにおける切り換え先の情報であり、シームレスでのアングルシェル切り換えにのみ有効とされる。


【手続補正４】
【補正対象書類名】明細書
【補正対象項目名】００６０
【補正方法】変更
【補正の内容】
【００６０】
このステップＳ５５では、アングル切り換えコマンドに応じて受け付けたアングル番号（AGLN：Angle number）に従って、ＮＥＸＴ＿ＳＡをシームレスアングル情報（SML_AGLI：Angle Information for seamless）により変更する。そして、上記ステップＳ５１に戻ってＦＦ動作を継続する。


【手続補正５】
【補正対象書類名】明細書
【補正対象項目名】００６８
【補正方法】変更
【補正の内容】
【００６８】
ここで、上記ステップＳ６７を行わずに、ステップＳ６６の後に上記ステップＳ６１に戻ってＦＲ動作を継続することにより処理を簡略化することもできるが、上記ステップＳ６７を行うことによってＦＲ動作の精度を向上させることができる。さらに、上記ステップＳ６５〜ステップＳ６７の処理期間の画像を出力しないようにすることにより、さらに精度を向上させることができる。


【手続補正６】
【補正対象書類名】明細書
【補正対象項目名】００７２
【補正方法】変更
【補正の内容】
【００７２】
このように、シームレスアングル切り換えを伴うレジューム動作時に、アングル切り換えコマンドにより指定された新たなアングルの画像の再生アドレスをタイムコードサーチにより求めてからレジューム動作を行う制御を行うことにより、もとのドメインに戻った時点で新たにアングルの画像を出力することができる。


【手続補正７】
【補正対象書類名】図面
【補正対象項目名】図２２
【補正方法】変更
【補正の内容】
【図２２】
1998271454.tif 000001
【手続補正８】
【補正対象書類名】図面
【補正対象項目名】図２３
【補正方法】変更
【補正の内容】
【図２３】
1998271454.tif 000002
【手続補正９】
【補正対象書類名】図面
【補正対象項目名】図２８
【補正方法】変更
【補正の内容】
【図２８】
1998271454.tif 000003
【手続補正１０】
【補正対象書類名】図面
【補正対象項目名】図３０
【補正方法】変更
【補正の内容】
【図３０】
1998271454.tif 000004
【手続補正書】
【提出日】平成15年9月3日(2003.9.3)
【手続補正１】
【補正対象書類名】明細書
【補正対象項目名】請求項１
【補正方法】変更
【補正の内容】
【請求項１】
バックヨークとこのバックヨークから突出した複数のティースとを有する固定子コアと、前記ティースに絶縁物を介して直接巻回された巻線と、を備えた電動機の固定子において、
前記バックヨークの端面上に設けられたリード線側絶縁物に複数の溝を外周面に形成し、この複数の溝に各相毎に渡り線を収納し、前記複数の溝のうち渡り線からリード線へ立ち上げるティースにあたるリード線側絶縁物の溝にその相と同相の他ティースからの渡り線も収納し、その後外周面から内周面に向けて前記その相の渡り線を折り返してリード線として立ち上げたことを特徴とする電動機の固定子。
【手続補正２】
【補正対象書類名】明細書
【補正対象項目名】０００９
【補正方法】変更
【補正の内容】
【０００９】
【課題を解決するための手段】
この発明に係る電動機の固定子は、バックヨークとこのバックヨークから突出した複数のティースとを有する固定子コアと、ティースに絶縁物を介して直接巻回された巻線と、を備えた電動機の固定子において、バックヨークの端面上に設けられたリード線側絶縁物に複数の溝を外周面に形成し、この複数の溝に各相毎に渡り線を収納し、複数の溝のうち渡り線からリード線へ立ち上げる部分にあたるリード線側絶縁物のリード線として立ち上げる相の溝にその相の渡り線も収納し、その後外周面から内周面に向けてその相の渡り線を折り返してリード線として立ち上げたものである。


【手続補正３】
【補正対象書類名】明細書
【補正対象項目名】００２１
【補正方法】変更
【補正の内容】
【００２１】
複数の溝のうち渡り線からリード線へ立ち上げる部分にあたるリード線側絶縁物のリード線として立ち上げるティースの溝にその相と同相の他ティースからの渡り線も収納し、その後外周面から内周面に向けてその相の渡り線を折り返してリード線として立ち上げたことが特徴である。


【手続補正４】
【補正対象書類名】明細書
【補正対象項目名】００２６
【補正方法】変更
【補正の内容】
【００２６】
【発明の効果】
この発明に係る電動機の固定子は、バックヨークの端面上に設けられたリード線側絶縁物に複数の溝を外周面に形成し、この複数の溝に各相毎に渡り線を収納し、複数の溝のうち渡り線からリード線へ立ち上げるティースにあたるリード線側絶縁物の溝にその相と同相の他ティースからの渡り線も収納し、その後外周面から内周面に向けてその相の渡り線を折り返してリード線として立ち上げたので、モータサイズを大きくすることなく、渡り線の絶縁を完全に行うことができる。また従来必要だった、絶縁紙や絶縁スリーブが不要となりコストの削減が可能となる。
【手続補正書】
【提出日】平成15年9月26日(2003.9.26)
【手続補正１】
【補正対象書類名】明細書
【補正対象項目名】特許請求の範囲
【補正方法】変更
【補正の内容】
【特許請求の範囲】
【請求項１】
背景および対象物体からなる動画像データから対象物体の領域を抽出する物体領域抽出方法において、
前記動画像データを連続的に入力し、
この入力された時間的に連続する複数の画像データ間における背景および対象物体の動き方向を、あらかじめ定められた複数の小区画毎に求め、
各小区画の動き方向の類似性にしたがって前記動画像データを区画に沿って複数の画像データに分類し、
前記分類された画像データから対象物体が存在する領域を推定して抽出することを特徴とする物体領域抽出方法。
【請求項２】
背景および対象物体からなる動画像データから対象物体の領域を抽出する物体領域抽出方法において、
前記動画像データを連続的に入力し、
この入力された時間的に連続する複数の画像データ間における背景および対象物体の動き方向を、あらかじめ定められた複数の小区画毎に求め、
各小区画の動き方向の類似性にしたがって前記動画像データを区画に沿って複数の画像データに分類し、
前記分類された画像データから対象物体が存在する矩形領域を推定し、
推定された矩形領域を基準として弾性輪郭モデルを用いた対象物体の輪郭探索を行い、対象物体の領域を抽出することを特徴とする物体領域抽出方法。
【請求項３】
背景および対象物体からなる画像データから対象物体の領域を抽出する物体領域抽出方法において、
前記画像データを連続的に入力し、
この入力された画像データについて、第１の輪郭探索モデルを用いた対象物体の輪郭探索により第１の対象物体領域抽出を行い、
この第１の領域抽出後、自動的に、前記第１の輪郭モデルを用いた輪郭探索よりも精度の高い第２の輪郭探索モデルを用いた対象物体の輪郭探索により第２の対象物体領域抽出を行うことを特徴とする物体領域抽出方法。
【手続補正書】
【提出日】平成15年7月1日(2003.7.1)
【手続補正１】
【補正対象書類名】明細書
【補正対象項目名】００１６
【補正方法】変更
【補正の内容】
【００１６】
しかしながら、上述した従来のスイッチング制御装置及びスイッチング装置を組み込んだ車両用電源供給装置は、電圧ＶＤＳを監視しているため実際にパワーＭＯＳＦＥＴＱＦのドレインＤ−ソースＳ間に電流が流れてないと電圧ＶＤＳを検出することができない。つまり、実際にパワーＭＯＳＦＥＴＱＦの熱損失が正常時に比べて増加した結果、電圧ＶＤＳが基準電圧Ｖｒｅｆ４を越えた後、初めて遮断される。
【手続補正２】
【補正対象書類名】明細書
【補正対象項目名】００１７
【補正方法】削除
【補正の内容】
【手続補正書】
【提出日】平成15年6月25日(2003.6.25)
【手続補正１】
【補正対象書類名】明細書
【補正対象項目名】特許請求の範囲
【補正方法】変更
【補正の内容】
【特許請求の範囲】
【請求項１】
デバイスが追加されたときにそのデバイスに関するセットアップ情報ファイルを特定の場所から検索し、検索したセットアップ情報ファイルに従ってそのデバイスに関するドライバの組み込みを行うオペレーティングシステムが用いられた、第１種インタフェース及びパラレルインタフェースを有するコンピュータで、プリンタが利用できるようにするためのセットアップ用記録媒体であって、
前記第１種インタフェースを前記プリンタ用の第１種ポートとして機能させるための第１種ポートドライバのファイルである第１種ポートドライバファイルと、
前記第１種ポートドライバ用のセットアップ情報ファイルであって、前記第１種ポートドライバファイルが収録された場所を示す場所指定情報を含むセットアップ情報ファイルと、
前記プリンタ用のプリンタドライバファイルと、
前記プリンタドライバファイルを基に、前記プリンタの接続先がパラレルポートであるとして前記プリンタ用のプリンタドライバをインストールするプリンタドライバインストールステップ，及び
前記セットアップ情報ファイルを前記特定の場所にコピーするとともに、前記第一種ポートドライバファイルを前記セットアップ情報ファイル内の前記場所指定情報で示される場所にコピーするコピーステップ
を前記コンピュータに実行させるセットアップ用プログラムと
を格納したことを特徴とするセットアップ用記録媒体。
【請求項２】
前記セットアップ用プログラムは、
前記特定の場所にコピーされた前記セットアップ情報ファイルが参照されてオペレーティングシステムによって前記プリンタ用の第１種ポートが形成され、その第１種ポートに前記プリンタが接続されるのを監視すると共に、前記パラレルポートに前記プリンタが接続されるのを監視し、前記第１種ポートに前記プリンタが接続されたときには前記プリンタの接続先の設定を前記第１種ポートに変更して処理を終了し、前記パラレルポートに前記プリンタが接続されたときには、プリンタの接続先の設定を変更することなく処理を終了する接続監視ステップ
を、さらに前記コンピュータに実行させる
ことを特徴とする請求項１記載のセットアップ用記録媒体。
【請求項３】
前記接続監視ステップは、コンピュータとプリンタとを接続してプリンタの電源を投入することをユーザに指示すると共に、ユーザが操作可能なアイテムを有さない第１ダイアログボックスを表示し、前記プリンタがパラレルポート及び第１種ポートのいずれかに接続されることなく所定時間が経過したこときにはユーザが操作可能なアイテムを有する第２ダイアログボックスを表示し、その第２ダイアログボックス上のアイテムが操作された際に処理を終了する
ことを特徴とする請求項１または請求項２記載のセットアップ用記録媒体。
【請求項４】
前記コンピュータに、前記プリンタドライバインストールステップによりインストールされたプリンタドライバと前記コピーステップによりコピーされた第１種ポートドライバファイル及びセットアップ情報ファイルをアンインストールさせるためのアンインストール用プログラム
を、さらに格納する
ことを特徴とする請求項１ないし請求項３のいずれかに記載のセットアップ用記録媒体。
【請求項５】
前記第１種インタフェースが、ＵＳＢインタフェースであることを特徴とする請求項１ないし請求項４のいずれかに記載のセットアップ用記録媒体。
【請求項６】
デバイスが追加されたときにそのデバイスに関するセットアップ情報ファイルを特定の場所から検索し、検索したセットアップ情報ファイルに従ってそのデバイスに関するドライバの組み込みを行うオペレーティングシステムが用いられた、第１種インタフェース及びパラレルインタフェースを有するコンピュータで、プリンタが利用できるようにするためのセットアップ方法であって、
前記プリンタの接続先がパラレルポートであるとして前記プリンタ用のプリンタドライバをインストールするプリンタドライバインストールステップと、
前記第１種インタフェースを前記プリンタ用の第１種ポートとして機能させるための第１種ポートドライバ用のセットアップ情報ファイルであって、前記第１種ポートドライバのファイルである第１種ポートドライバファイルが収録された場所を示す場所指定情報を含むセットアップ情報ファイルを前記特定の場所にコピーするとともに、前記第１種ポートドライバファイルを前記セットアップ情報ファイルに含まれる前記場所指定情報で示される場所にコピーするコピーステップと、
前記プリンタドライバインストールステップ及び前記コピーステップが完了した後に、前記プリンタと前記コンピュータとを接続する接続ステップと
を含むことを特徴とするセットアップ方法。
【請求項７】
第１種インタフェース及び第２種インタフェースを有するコンピュータであると共に、或るプリンタ用のプリンタドライバが、前記第２種インタフェースに接続されたそのプリンタに印刷を行わせることが出来る状態でインストールされているコンピュータに、
前記第１種インタフェース或いは前記第２種インタフェースに前記プリンタが接続されることを監視する監視ステップと、
この監視ステップによって前記第１種インタフェースに前記プリンタが接続されたことが検出されたときに、前記プリンタドライバを、前記第１種インタフェースに接続されたそのプリンタに印刷を行わせることが出来る状態で機能させるための設定を行う設定ステップ
とを実行させるプログラムを格納したことを特徴とするセットアップ用記録媒体。
【請求項８】
前記監視ステップが、前記第１種インタフェース或いは前記第２種インタフェースに前記プリンタが接続されることを監視する処理を開始した後、第１所定時間が経過するまでの間に、前記第１種インタフェース或いは前記第２種インタフェースに前記プリンタが接続されたことを検出できなかった場合には、処理を続行するか否かについての指示を操作者から得るためのダイアログボックスを表示し、処理を続行することが指示が得られた場合には、前記第１種インタフェース或いは前記第２種インタフェースに前記プリンタが接続されることを監視する処理を再び開始し、その後、第２所定時間が経過するまでの間に、前記第１種インタフェース或いは前記第２種インタフェースに前記プリンタが接続されたことを検出できなかった場合には、処理を続行するか否かについての指示を操作者から得ることなく、処理を終了するステップである
ことを特徴とする請求項７記載のセットアップ用記録媒体。
【手続補正書】
【提出日】平成15年12月18日(2003.12.18)
【手続補正１】
【補正対象書類名】明細書
【補正対象項目名】発明の名称
【補正方法】変更
【補正の内容】
【発明の名称】計算機システム
【手続補正２】
【補正対象書類名】明細書
【補正対象項目名】特許請求の範囲
【補正方法】変更
【補正の内容】
【特許請求の範囲】
【請求項１】
各自ＳＶＰを有する複数の計算機を結合した計算機システムであって、
各ＳＶＰは、
他のＳＶＰとの通信手段と、
保守センタとの通信手段と、
自己の計算機のハードウェア制御プログラムとして、現用と待機用の２つを保持する手段と
他のＳＶＰからの要求を受けて自己の計算機の待機ハードウェア制御プログラムの版数情報を読み出し、通知するＨＣＰ版数読み出し処理手段と、
他のＳＶＰから待機ハードウェア制御プログラムの適用指示を受信すると、次回の電源投入によりその適用を行うＨＣＰ切り替え処理手段と、
他のＳＶＰから修正データ取得指示を受けたとき、修正データを保守センタから取得する修正データ受信指示処理手段と、
他のＳＶＰとの間で一定時間間隔ごとにＳＶＰの版数一致の制御を行う版数一致監視処理手段と、
他のＳＶＰに通知して、待機ハードウェア制御プログラムの版数情報の読み出しを行う全装置ＨＣＰ版数読み出し処理手段と、
自他の待機ハードウェア制御プログラムの版数比較を行い最新の版数の検出を行う全版数一致検出手段と、
待機ハードウェア制御プログラムの版数が低いＳＶＰへ修正データ取得指示を行う修正データ受信指示処理手段と、
を有することを特徴とする計算機システム。
【請求項２】
修正データ受信制御処理手段は、修正データ取得指示を出す相手のＳＶＰの数を所定数以下に制限する
ことを特徴とする請求項１記載の計算機システム。
【手続補正書】
【提出日】平成15年12月2日(2003.12.2)
【手続補正１】
【補正対象書類名】明細書
【補正対象項目名】特許請求の範囲
【補正方法】変更
【補正の内容】
【特許請求の範囲】
【請求項１】
ゴムシール装置の補強部材と接合されるゴム組成物であって、テトラフルオロエチレン−プロピレン２元共重合体１００重量部に対し、液状ポリブタジエンを０．０２〜１０重量部含有することを特徴とするゴム組成物。
【請求項２】
液状ポリブタジエンが、数平均分子量で１０００〜５０００であることを特徴とする請求項１記載のゴム組成物。
【請求項３】
液状ポリブタジエンが、構造中に水酸基またはカルボキシル基を有することを特徴とする請求項１または２記載のゴム組成物。
【請求項４】
補強部材と、ゴム組成物とを接合してなるゴムシール装置において、前記ゴム組成物がテトラフルオロエチレン−プロピレン２元共重合体１００重量部に対し、液状ポリブタジエンを０．０２〜１０重量部含有することを特徴とするゴムシール装置。
【請求項５】
液状ポリブタジエンが、数平均分子量で１０００〜５０００であることを特徴とする請求項４記載のゴムシール装置。
【請求項６】
液状ポリブタジエンが、構造中に水酸基またはカルボキシル基を有することを特徴とする請求項４または５記載のゴムシール装置。
【請求項７】
軸用オイルシール、ウォータポンプ用転がり軸受、ボールねじまたはリニアガイド装置のシール部に組み込まれることを特徴とする請求項４〜６の何れか１項に記載のゴムシール装置。
【手続補正書】
【提出日】平成16年1月22日(2004.1.22)
【手続補正１】
【補正対象書類名】明細書
【補正対象項目名】特許請求の範囲
【補正方法】変更
【補正の内容】
【特許請求の範囲】
【請求項１】
表面に凹凸が形成されているとともにシリコンを含有するＡＤＣ１０、ＡＣ４ＢおよびＡＣ４Ｃのうちいずれか１種の合金と、該合金の表面に形成された凹凸に沿った面および平滑面からなるめっき層と、該合金と該めっき層の間に橋渡しされた状態で存在するシリコンと、からなることを特徴とするシリンダーブロック。
【請求項２】
上記ＡＤＣ１０、ＡＣ４ＢおよびＡＣ４Ｃのうちいずれか１種の合金と上記めっき層の間に、陽極酸化層が設けられている請求項１に記載のシリンダーブロック。
【請求項３】
シリコンを含有するＡＤＣ１０、ＡＣ４ＢおよびＡＣ４Ｃのうちいずれか１種の合金を陽極電解エッチングして、該合金の表面からシリコンを突出させるとともに、該合金の表面に凹凸を形成させる工程と、
上記陽極電解エッチングの後に、上記合金の表面を陽極酸化して、酸化されたアルミニウム合金層を形成させる工程と、を含み、
上記陽極電解エッチング及び上記陽極酸化が、シリコンを含有する該合金を陽極とし、他方の電極を陰極とし、電解液中で通電することによって行われるとともに、該電解液として、リン酸、スルファミン酸、硫酸から選ばれる一種以上を用いるアルミニウム合金上のめっき前処理方法。
【手続補正書】
【提出日】平成16年1月30日(2004.1.30)
【手続補正１】
【補正対象書類名】明細書
【補正対象項目名】０００９
【補正方法】変更
【補正の内容】
【０００９】
その他の方法として、例えば、特開平４−１９４１６３号公報に記載された方法が試みられている。この方法は、芳香消臭成分をマイクロカプセルに担持させ、そのカプセルを更に床用ワックスに含有せしめ、予め、床基材に塗布施工した床材を提供するものである。この方法の原理は、ワックス被膜中に存在しているカプセルが歩行等による衝撃で割れ、含浸してある芳香消臭成分が放出し、悪臭の消臭やマスキングに寄与するものである。しかしながら、歩行等が盛んに行なわれる場合には効果が期待できるが、そうでない場合には芳香消臭成分が被膜中に閉じ込められたままとなり、カプセル自体から有効成分の放出がなく、上記のような悪臭の消臭やマスキング機能が発揮されないものである。
【手続補正書】
【提出日】平成15年9月5日(2003.9.5)
【手続補正１】
【補正対象書類名】明細書
【補正対象項目名】発明の名称
【補正方法】変更
【補正の内容】
【発明の名称】固体撮像素子の動作方法
【手続補正２】
【補正対象書類名】明細書
【補正対象項目名】特許請求の範囲
【補正方法】変更
【補正の内容】
【特許請求の範囲】
【請求項１】
フレームトランスファ型の固体撮像素子の動作方法であって、
電荷蓄積時と、電荷転送時とでオーバーフロードレインに印加するドレイン電圧を互いに異ならせる
ことを特徴とする固体撮像素子の動作方法。
【請求項２】
前記フレームトランスファ型の固体撮像素子が横型オーバーフロードレイン構造を有する
ことを特徴とする請求項１記載の固体撮像素子の動作方法。
【請求項３】
前記フレームトランスファ型の固体撮像素子が縦型オーバーフロードレイン構造を有する
ことを特徴とする請求項１記載の固体撮像素子の動作方法。
【手続補正３】
【補正対象書類名】明細書
【補正対象項目名】０００１
【補正方法】変更
【補正の内容】
【０００１】
【発明の属する技術分野】
本発明は、固体撮像素子の動作方法、特にフレームトランスファ型のＣＣＤ固体撮像素子の動作方法に関する。


【手続補正４】
【補正対象書類名】明細書
【補正対象項目名】０００６
【補正方法】変更
【補正の内容】
【０００６】
本発明は、上述の点に鑑み、電荷蓄積時にセンサー部に信号電荷が満杯となっても、電荷転送中に信号電荷が転送路からオーバーフロードレイン領域に流出することなく、ダイナミックレンジが十分確保できるフレームトランスファ型の固体撮像素子の動作方法を提供するものである。


【手続補正５】
【補正対象書類名】明細書
【補正対象項目名】０００７
【補正方法】変更
【補正の内容】
【０００７】
【課題を解決するための手段】
本発明に係る固体撮像素子の動作方法は、電荷蓄積時と、電荷転送時とでオーバーフロードレインに印加するドレイン電圧を互いに異ならすようにする。
【手続補正６】
【補正対象書類名】明細書
【補正対象項目名】０００８
【補正方法】変更
【補正の内容】
【０００８】
本発明の固体撮像素子の動作方法では、電荷蓄積時と電荷転送時でドレイン電圧を異ならすので、電荷転送時には、そのオーバーフローバリアの高さが電荷蓄積時のオーバーフローバリアの高さより高くすることができる。従って、電荷蓄積時に過大光量が入射し、信号電荷が満杯となった状態であっても、電荷転送時に信号電荷が転送路からオーバーフロードレインに流出することがない。


【手続補正７】
【補正対象書類名】明細書
【補正対象項目名】０００９
【補正方法】変更
【補正の内容】
【０００９】
【発明の実施の形態】
本発明に係る固体撮像素子の動作方法は、フレームトランスファ型の固体撮像素子の動作方法であって、電荷蓄積時と、電荷転送時とでオーバーフロードレインに印加するドレイン電圧を互いに異ならせる。


【手続補正８】
【補正対象書類名】明細書
【補正対象項目名】００１０
【補正方法】変更
【補正の内容】
【００１０】
本発明は、上記フレームトランスファ型の固体撮像素子として、横型オーバーフロードレイン構造を有する場合に適用できる。


【手続補正９】
【補正対象書類名】明細書
【補正対象項目名】００１１
【補正方法】変更
【補正の内容】
【００１１】
本発明は、上記フレームトランスファ型の固体撮像素子として、縦型オーバーフロードレイン構造を有する場合に適用できる。


【手続補正１０】
【補正対象書類名】明細書
【補正対象項目名】００１２
【補正方法】変更
【補正の内容】
【００１２】
以下、図面を参照して本発明による固体撮像素子の動作方法の実施の形態を説明する。


【手続補正１１】
【補正対象書類名】明細書
【補正対象項目名】００２５
【補正方法】変更
【補正の内容】
【００２５】
しかして、本実施の形態においては、特に、縦型オーバーフロードレイン方式又は横型オーバーフロードレイン方式のＦＴ型ＣＣＤ固体撮像素子１又はＦＦＴ型ＣＣＤ固体撮像素子１１において、電荷蓄積時と、電荷転送時とで、オーバーフロードレイン領域に印加するドレイン電圧を変化させるようにする。


【手続補正１２】
【補正対象書類名】明細書
【補正対象項目名】００２８
【補正方法】変更
【補正の内容】
【００２８】
しかし乍ら、上述の本実施の形態では、電荷蓄積時と電荷転送時でドレイン電圧となる基板電圧をＶOFDH1とＶOFDL1とに変化させ、転送時のオーバーフローバリアのポテンシャルφOFBL1を蓄積時のオーバーフローバリアのポテンシャルφOFBH1よりも浅くしているので、電荷転送時に電荷流出が発生せず、電荷蓄積時の信号電荷ｅを全て転送することができる。従って、蓄積時の信号電荷ｅを全て転送することで縦型オーバーフロードレイン方式のＣＣＤ固体撮像素子１又は１１のダイナミックレンジを十分に確保することができる。


【手続補正１３】
【補正対象書類名】明細書
【補正対象項目名】００３０
【補正方法】変更
【補正の内容】
【００３０】
【発明の効果】
本発明に係るオーバーフロードレイン構造を採用したフレームトランスファ型（ＦＴ型，ＦＦＴ型を共に含む）の固体撮像素子の動作方法によれば、電荷蓄積時と電荷転送時とでオーバーフロードレイン領域に印加するドレイン電圧を可変することにより、電荷蓄積時にセンサー部兼転送部に信号電荷が満杯となっても、電荷転送中に信号電荷が転送部からオーバーフロードレインに流出することがなく、ダイナミックレンジを確保することができる。
【手続補正書】
【提出日】平成15年11月26日(2003.11.26)
【手続補正１】
【補正対象書類名】明細書
【補正対象項目名】特許請求の範囲
【補正方法】変更
【補正の内容】
【特許請求の範囲】
【請求項１】
強誘電体をダイナミックランダムアクセスメモリの電荷蓄積部の絶縁層に用い、前記電荷蓄積部の上下電極を異なる２種類の金属で形成し、内在電圧を発生させ、前記強誘電体を分極反転させることなく、１／２のメモリ動作電圧で駆動するようにしたことを特徴とする半導体記憶装置。
【請求項２】
強誘電体をダイナミックランダムアクセスメモリの電荷蓄積部の絶縁層に用い、前記電荷蓄積部の上下電極を異なる２種類の金属で形成し、内在電圧を発生させ、前記強誘電体を分極反転させることなく、セルプレートに最大電圧印加時の分極量の１／２を与える電圧を印加し、駆動するようにしたことを特徴とする半導体記憶装置。
【請求項３】
強誘電体をダイナミックランダムアクセスメモリの電荷蓄積部の絶縁層に用い、前記電荷蓄積部の上下電極を仕事関数差が１．２ｅＶ程度の異なる２種類の金属で形成し、内在電圧を発生させ、前記強誘電体を分極反転させることなく、負のメモリ動作電圧で駆動するようにしたことを特徴とする半導体記憶装置。
【請求項４】
強誘電体を電荷蓄積部の絶縁層に用い、前記電荷蓄積部の上部電極を下部電極よりも仕事関数が小さい材料で形成し、内在電圧を発生させ、前記強誘電体を分極反転させることなく、駆動するようにしたことを特徴とするｎ型の不揮発性半導体記憶装置。
【請求項５】
強誘電体を電荷蓄積部の絶縁層に用い、前記電荷蓄積部の上部電極を下部電極よりも仕事関数が大きい材料で形成し、内在電圧を発生させ、前記強誘電体を分極反転させることなく、駆動するようにしたことを特徴とするｐ型の不揮発性半導体記憶装置。
【請求項６】
強誘電体を電荷蓄積部の絶縁層に用い、ｎ型トランジスタ部では前記電荷蓄積部の上部電極を下部電極よりも仕事関数が小さい材料で形成し、ｐ型トランジスタ部では前記電荷蓄積部の上部電極を下部電極よりも仕事関数が大きい材料で形成することを特徴とするＣＭＯＳの不揮発性半導体記憶装置。
【手続補正２】
【補正対象書類名】明細書
【補正対象項目名】０００６
【補正方法】変更
【補正の内容】
【０００６】
【課題を解決するための手段】
本発明は、上記目的を達成するために、
〔１〕半導体記憶装置において、強誘電体をダイナミックランダムアクセスメモリの電荷蓄積部の絶縁層に用い、前記電荷蓄積部の上下電極を異なる２種類の金属で形成し、内在電圧を発生させ、前記強誘電体を分極反転させることなく、１／２のメモリ動作電圧で駆動するようにしたものである。


【手続補正３】
【補正対象書類名】明細書
【補正対象項目名】０００７
【補正方法】変更
【補正の内容】
【０００７】
〔２〕半導体記憶装置において、強誘電体をダイナミックランダムアクセスメモリの電荷蓄積部の絶縁層に用い、前記電荷蓄積部の上下電極を異なる２種類の金属で形成し、内在電圧を発生させ、前記強誘電体を分極反転させることなく、セルプレートに最大電圧印加時の分極量の１／２を与える電圧を印加し、駆動するようにしたものである。
〔３〕半導体記憶装置において、強誘電体をダイナミックランダムアクセスメモリの電荷蓄積部の絶縁層に用い、前記電荷蓄積部の上下電極を仕事関数差が１．２ｅＶ程度の異なる２種類の金属で形成し、内在電圧を発生させ、前記強誘電体を分極反転させることなく、負のメモリ動作電圧で駆動するようにしたものである。